(57)【要約】【課題】遊技中に、遊技機管理装置の誤作動や誤操作や不正操作等や、遊技機に搭載されている初期化指示手段の誤操作や不正操作等によって記憶装置が初期化されて遊技中の遊技状態データが消去されてしまうような事態を防止する。【解決手段】遊技状態データを記憶する記憶装置（ＲＡＭ１１）の初期化処理を遊技中において禁止する初期化禁止手段（制御装置１と信号入力部４とフォトカプラ５Ａ，５Ｂと電源遮断リレー７とＯＲ素子９とインバータ素子１０による回路構成と、この回路構成において遊技機管理装置Ｓからの信号によりＲＡＭ初期化禁止処理を行う制御装置１の機能（特に初期化処理禁止実行部４００）を備えた。【選択図】        図１
2004195094.tif 000002
【特許請求の範囲】
【請求項１】
遊技状態データを記憶する記憶装置の初期化処理を遊技中において禁止する初期化禁止手段を備えたことを特徴とする遊技機。
【請求項２】
初期化禁止手段は、遊技店の開店前における遊技機への電源投入から開店後に遊技機の遊技が開始されるまでの間に、遊技機管理装置からの初期化指示信号に基づく記憶装置の初期化処理を一度だけ許可した後に記憶装置の初期化処理を禁止することを特徴とする請求項１に記載の遊技機。
【請求項３】
遊技状態データを記憶する記憶装置を備えた遊技機において、遊技店の開店前における遊技機への電源投入後、遊技機管理装置からの初期化指示信号に基づく記憶装置の初期化処理を一度だけ許可した後に記憶装置の初期化処理を禁止する初期化禁止手段を備えたことを特徴とする遊技機。
【請求項４】
遊技状態データを記憶する記憶装置を備えた遊技機において、遊技店の開店前における遊技機への電源投入後、遊技機に搭載された初期化指示手段からの初期化指示信号に基づく記憶装置の初期化処理を行う初期化手段と、遊技店の開店前における遊技機への電源投入後、遊技機に搭載された初期化指示手段からの初期化指示信号に基づく記憶装置の初期化処理を一度だけ許可した後に遊技機管理装置からの初期化指示信号に基づく記憶装置の初期化処理を禁止する初期化禁止手段を備えたことを特徴とする遊技機。
【請求項５】
遊技状態データを記憶する記憶装置を備えた遊技機において、遊技店の開店前における遊技機への電源投入後、遊技機に搭載された初期化指示手段からの初期化指示信号に基づく記憶装置の初期化処理を行う初期化手段と、遊技店の開店前における遊技機への電源投入から開店後に遊技機の遊技が開始されるまでの間に、遊技機に搭載された初期化指示手段からの初期化指示信号に基づく記憶装置の初期化処理を一度だけ許可した後に遊技機管理装置からの初期化指示信号に基づく記憶装置の初期化処理を禁止する初期化禁止手段とを備えたことを特徴とする遊技機。
【請求項６】
遊技状態データを記憶する記憶装置を備えた遊技機において、遊技店の開店前における遊技機への電源投入から開店後に遊技機の遊技が開始されるまでの間に、遊技機管理装置からの電源遮断信号に基づいて遊技機への電源を遮断した後、遊技機管理装置からの電源再投入信号に基づいて電源を再投入する電源制御手段と、上記電源再投入後から開店後に遊技機の遊技が開始されるまでの間に、遊技機管理装置からの初期化指示信号に基づいて記憶装置の初期化処理を行う初期化手段と、この初期化手段により記憶装置の初期化処理が行われて開店後に遊技機の遊技が開始されるまでの間に、遊技機管理装置からの初期化指示信号に基づく記憶装置の初期化処理を禁止する初期化禁止手段とを備えたことを特徴とする遊技機。
【発明の詳細な説明】
【０００１】
【発明の属する技術分野】
本発明は、パチンコ機等の遊技機において遊技状態データを記憶するＲＡＭ等の記憶装置の初期化禁止処理に関する。
【０００２】
【従来の技術】
遊技機の主制御装置，払出制御装置等の制御装置（ＣＰＵ）のＲＡＭには、遊技中の確率変動，大当たり，特別図柄入賞数，賞球等の遊技状態データが記憶され、制御装置はこの遊技状態データに基づいて遊技制御を行う。例えば遊技機が遊技者に有利な確率変動状態になった場合に記憶装置が初期化されると、遊技状態は初期の段階に戻って通常の確率が設定される。つまり、遊技進行中に遊技者に有利な遊技状態となっていても記憶装置が初期化された場合は有利な状況が取り消される。これは、大当たり状態，特別図柄入賞数，賞球数等についても同様である。また、記憶装置に記憶される遊技状態データは電源断時にはバックアップ電源により保存され、電源投入時、停電からの電源復旧時には電源断時の遊技状態データに基づいて遊技制御が行われる。
従来、パチンコホールの開店前の遊技機への電源投入後に、ホールコンピュータ等の遊技機管理装置から各遊技機に初期化指示信号を一斉に送信して前日の遊技状態データを記憶するＲＡＭ等の記憶装置を初期化したり、各遊技機に搭載されている初期化指示スイッチを手動操作して上記記憶装置を初期化したりしていた（例えば、特許文献１参照）。
【０００３】
【特許文献１】
特開２００２−１６６０２５号公報
【０００４】
【発明が解決しようとする課題】
上記従来技術では、遊技中に、ホールコンピュータ等の遊技機管理装置の誤作動や誤操作や不正操作等によって記憶装置が初期化されて遊技中の遊技状態データが消去されてしまう場合があった。また、遊技中に、初期化指示スイッチの誤操作や不正操作等によって記憶装置が初期化されて遊技中の遊技状態データが消去されてしまう場合があった。
本発明は、遊技中に、ホールコンピュータ等の遊技機管理装置の誤作動や誤操作や不正操作等によって記憶装置が初期化されて遊技状態データが遊技中に消去されてしまうような事態を防止することを目的とする。また、遊技中に、遊技機に搭載されている初期化指示手段（初期化指示スイッチ）の誤操作や不正操作等によって記憶装置が初期化されて遊技中の遊技状態データが消去されてしまうような事態を防止することを目的とする。
【０００５】
【課題を解決するための手段】
本発明による遊技機は、遊技状態データを記憶する記憶装置の初期化処理を遊技中において禁止する初期化禁止手段を備えた。これにより、遊技中に、ホールコンピュータ等の遊技機管理装置の誤作動や誤操作や不正操作等によって記憶装置が初期化されて遊技状態データが遊技中に消去されてしまうような事態や、遊技中に、記憶装置初期化指示スイッチの誤操作や不正操作等によって記憶装置が初期化されて遊技中の遊技状態データが消去されてしまうような事態を防止することができる。
また、初期化禁止手段は、遊技店の開店前における遊技機への電源投入から開店後に遊技機の遊技が開始されるまでの間に、遊技機管理装置からの初期化指示信号に基づく記憶装置の初期化処理を一度だけ許可した後に記憶装置の初期化処理を禁止するものとした。これにより、遊技店の開店前における遊技機への電源投入から開店後に遊技機の遊技が開始された以降は、ホールコンピュータ等の遊技機管理装置や遊技機に搭載されている初期化指示手段からの初期化指示信号による記憶装置の初期化処理が禁止されるので、遊技中の遊技状態データが消去されてしまうような事態を防止することができる。
また、遊技状態データを記憶する記憶装置を備えた遊技機において、遊技店の開店前における遊技機への電源投入後、遊技機管理装置からの初期化指示信号に基づく記憶装置の初期化処理を一度だけ許可した後に記憶装置の初期化処理を禁止する初期化禁止手段を備えた。この構成の場合、遊技店の開店前における遊技機への電源投入から開店後に遊技機の遊技が開始されるまでの時間を設定せずとも、遊技店の開店前における遊技機への電源投入から開店後に遊技機の遊技が開始されるまでの間に必ず遊技機管理装置から遊技機に初期化指示信号を送出して記憶装置の初期化を行うことが決められている遊技店においては、遊技機は開店後に遊技機の遊技が開始されるまでに初期化処理を禁止するので、遊技中に、遊技機管理装置からの初期化指示信号によって遊技状態データが消去されてしまうような事態を防止することができるようになる。
また、遊技状態データを記憶する記憶装置を備えた遊技機において、遊技店の開店前における遊技機への電源投入後、遊技機に搭載された初期化指示手段からの初期化指示信号に基づく記憶装置の初期化処理を行う初期化手段と、遊技店の開店前における遊技機への電源投入後、遊技機に搭載された初期化指示手段からの初期化指示信号に基づく記憶装置の初期化処理を一度だけ許可した後に遊技機管理装置からの初期化指示信号に基づく記憶装置の初期化処理を禁止する初期化禁止手段を備えた。これによれば、遊技中に、遊技機管理装置からの初期化指示信号によって遊技状態データが消去されてしまうような事態を防止することができるとともに、遊技中に遊技状態データを消去する必要があるときには、遊技機に搭載された初期化指示手段を操作して記憶装置を初期化できる。
また、遊技状態データを記憶する記憶装置を備えた遊技機において、遊技店の開店前における遊技機への電源投入後、遊技機に搭載された初期化指示手段からの初期化指示信号に基づく記憶装置の初期化処理を行う初期化手段と、遊技店の開店前における遊技機への電源投入から開店後に遊技機の遊技が開始されるまでの間に、遊技機に搭載された初期化指示手段からの初期化指示信号に基づく記憶装置の初期化処理を一度だけ許可した後に遊技機管理装置からの初期化指示信号に基づく記憶装置の初期化処理を禁止する初期化禁止手段とを備えた。これによれば、遊技店の開店前における遊技機への電源投入から開店後に遊技機の遊技が開始されるまでの時間を設定せずとも、遊技店の開店前における遊技機への電源投入から開店後に遊技機の遊技が開始されるまでの間に必ず遊技機管理装置から遊技機に初期化指示信号を送出して記憶装置の初期化を行うことが決められている遊技店においては、遊技機は開店後に遊技機の遊技が開始されるまでに初期化処理を禁止するので、遊技中に、遊技機管理装置からの初期化指示信号によって遊技状態データが消去されてしまうような事態を防止することができるようになるとともに、遊技中に遊技状態データを消去する必要があるときには、遊技機に搭載された初期化指示手段を操作して記憶装置を初期化できる。
また、遊技状態データを記憶する記憶装置を備えた遊技機において、遊技店の開店前における遊技機への電源投入から開店後に遊技機の遊技が開始されるまでの間に、遊技機管理装置からの電源遮断信号に基づいて遊技機への電源を遮断した後、遊技機管理装置からの電源再投入信号に基づいて電源を再投入する電源制御手段と、上記電源再投入後から開店後に遊技機の遊技が開始されるまでの間に、遊技機管理装置からの初期化指示信号に基づいて記憶装置の初期化処理を行う初期化手段と、この初期化手段により記憶装置の初期化処理が行われて開店後に遊技機の遊技が開始されるまでの間に、遊技機管理装置からの初期化指示信号に基づく記憶装置の初期化処理を禁止する初期化禁止手段とを備えた。これによれば、遊技中に遊技機管理装置からの初期化指示信号によって遊技状態データが消去されてしまうような事態を防止することができるようになるとともに、遊技機への電源を遮断し、かつ再投入してから記憶装置を初期化し、この初期化後に制御装置による遊技機の初期設定を行えるので、遊技機の状態を確実に初期状態に戻すことができる。
【０００６】
【発明の実施の形態】
図１は実施形態における遊技状態データ保護方法を実現するための遊技機側の回路構成を示す。１はパチンコ機等の遊技機Ｐの主制御装置や球払出制御装置等の制御装置（尚、図１では主制御装置を例示している）、１１は遊技状態データを記憶する記憶装置としてのＲＡＭ、２は遊技機Ｐの電源スイッチ、３は初期化指示スイッチ（遊技機に搭載された初期化指示手段）、４はホールコンピュータ等の遊技機管理装置Ｓからの信号を入力する信号入力部、５Ａ，５Ｂはフォトカプラ（インターフェース）、６は島側電源装置、７は電源遮断リレー、８は遊技機Ｐの電源装置、９は電源遮断リレー７を制御するための信号生成用のＯＲ素子、１０はインバータ素子、Ｒは抵抗である。制御装置１は、ＲＡＭ１１と、後述する規定時間がセットされるタイマ１００と、後述するメインルーチンを実行するメインルーチン実行部２００と、状態監視ポートＰ１〜Ｐ３とを備える。メインルーチン実行部２００は、ＲＡＭ１１の初期化処理を実行する初期化処理実行部３００とＲＡＭ１１の初期化処理を禁止する初期化処理禁止実行部４００とを有する。
【０００７】
電源装置８は島側電源装置６からの交流２４Ｖを変換して直流１２Ｖや直流５Ｖ等を遊技機Ｐに供給する。制御装置１には直流５Ｖ等が供給される。尚、Ｖｃｃ１は例えば直流１２Ｖ電位、Ｖｃｃ２は例えば直流５Ｖ電位である。信号入力部４にはフォトカプラ５Ａ，５ＢのＬＥＤ５ａの電源電位信号Ｖｄの入力端子４ａと、ＬＥＤ５ａの駆動制御信号Ｓ１，Ｓ２の入力端子４ｂ，４ｃが設けられている。フォトカプラ５Ａのフォトトランジスタ５ｂのコレクタはＯＲ素子９の一方の入力端子に接続されており、ＯＲ素子９の他方の入力端子と制御装置１のポートＰ１とが接続されている。フォトカプラ５Ｂのフォトトランジスタ５ｂのコレクタはインバータ素子１０の入力端子に接続されており、インバータ素子１０の出力端子と制御装置１のポートＰ２とが接続されている。制御装置１のポートＰ３は初期化指示スイッチ３に接続されている。電源スイッチ２の後段には電源遮断リレー７が設けられ、この電源遮断リレー７とＯＲ素子９の出力端子とが接続されている。
【０００８】
次に回路の動作を説明する。例えばパチンコホール等の遊技店の開店前に図外の島電源スイッチをＯＮした後に各遊技機Ｐの電源スイッチ２をＯＮしたり、あるいは、前日に各遊技機Ｐの電源スイッチ２をＯＦＦにしないで島電源スイッチをＯＦＦすることにより閉店した場合には開店前に島電源スイッチをＯＮする。この遊技機Ｐへの電源投入時点において、遊技機管理装置Ｓからの駆動制御信号Ｓ１，Ｓ２が非ドライブの状態で記憶装置初期化指示スイッチ３がＯＦＦである場合、制御装置１のポートＰ３に接続された信号線▲１▼の信号レベルは「Ｌ」、信号線▲２▼の信号レベルは「Ｈ」、制御装置１のポートＰ２に接続された信号線▲３▼の信号レベルは「Ｌ」、制御装置１のポートＰ１に接続された信号線▲４▼の信号レベルは「Ｌ」、信号線▲５▼の信号レベルは「Ｈ」、信号線▲６▼の信号レベルは「Ｈ」となる。図１ではこの初期状態での各信号線の信号レベルを図示している。
【０００９】
遊技機Ｐに電源が投入されると、制御装置１のメインルーチン実行部２００は図外のＲＯＭ等に記憶されたプログラムに基づいて図２に示すようなメインルーチンを所定時間毎に実行する。ステップ１は初期化指示スイッチ３がＯＮされたか否かを判定するステップ、ステップ２は規定時間ゼロか否か判定するステップ、ステップ２０は規定時間経過したか否かを判定するステップ、ステップ３は規定時間をタイマ１００にセットするステップ、ステップ４は規定時間の減算を開始するステップ、ステップ５は遊技機初期設定処理を行うステップ、ステップ６は乱数更新処理を行うステップ、ステップ７はＲＡＭ初期化禁止状態か否かを判定するステップ、ステップ８は遊技機管理装置Ｓからの初期化指示があるか否かを判定するステップ、ステップ９は遊技機管理装置Ｓからの指示によるＲＡＭ初期化処理を行うステップ、ステップ１０はＲＡＭ初期化禁止処理を行うステップ、ステップ１１は初期化指示スイッチ３からの指示によるＲＡＭ初期化処理を行うステップである。
尚、上記規定時間としては、例えば島電源投入からパチンコホールの開店までに相当する時間を目安に設定しておく。
【００１０】
まず、電源投入後、初期化指示スイッチ３の人為的手動操作は行わず、上記規定時間内に遊技機管理装置Ｓから各遊技機Ｐにおける制御装置１のＲＡＭ１１を一斉に初期化する場合を説明する。この場合、電源投入後の初めてのステップ１はＮＯ、ステップ２はＹＥＳ、ステップ２０はＮＯなので、ステップ３に進んで規定時間がタイマ１００にセットされ、ステップ５で遊技機初期設定処理を、ステップ６で乱数更新処理を行う。その後、規定時間内に遊技機管理装置Ｓは駆動制御信号Ｓ１，Ｓ２をドライブ状態に設定する。このとき、メインルーチンが実行されるとステップ１でＮＯ、ステップ２でＮＯとなるので、ステップ４で規定時間の減算処理が開始され、ステップ７に進み、ステップ７でＮＯとなり、ステップ８でＹＥＳとなり、ステップ９で遊技機管理装置Ｓからの指示によるＲＡＭ初期化処理を行う。このステップ９のＲＡＭ初期化処理は以下の通りである。
【００１１】
即ち、遊技機管理装置Ｓにより駆動制御信号Ｓ２がドライブ状態（初期化指示信号）とされることで信号線▲２▼の信号レベルが「Ｌ」、信号線▲３▼の信号レベルが「Ｈ」になる。また、遊技機管理装置Ｓにより駆動制御信号Ｓ１がドライブ状態（電源遮断信号）とされることで信号線▲５▼の信号レベルが「Ｌ」になる。よって、信号線▲４▼，▲５▼の信号レベルがともに「Ｌ」なので、ＯＲ素子９の出力信号線▲６▼の信号レベルは「Ｌ」となって電源遮断リレー７の接点が開き、遊技機Ｐへの電源が遮断される。その後、遊技機管理装置Ｓにより駆動制御信号Ｓ１が非ドライブ状態（電源再投入信号）とされて、信号線▲５▼の信号レベルが「Ｈ」となるので、電源遮断リレー７の接点が閉じられて遊技機Ｐに電源が再投入され、これにより制御装置１は再起動してメインルーチンを実行する。尚、この場合の電源遮断時にはタイマ１００の値はＲＡＭ１１に退避させられてバックアップ保存され、電源再投入時に制御装置１のレジスタに戻されるので、ステップ２の判断はＮＯになり、ステップ４で規定時間の減算処理が開始され、ステップ７はＮＯ、ステップ８はＹＥＳとなり、ステップ９で制御装置１はポートの信号線▲３▼の信号レベルを確認して「Ｈ」であれば初期化処理を実行する。ここでは、遊技機管理装置Ｓにより駆動制御信号Ｓ２がドライブ状態（初期化指示信号）となっていることにより信号線▲３▼の信号レベルはすでに「Ｈ」になっているので、初期化処理が実行される。
ここで、駆動制御信号Ｓ１，Ｓ２が非ドライブ状態のままメインルーチンが進行すると、ＲＡＭ１１に前日の遊技状態データが残っている場合にこの遊技状態データに基づいて制御装置１は遊技機初期設定処理を行うことになる。そこで、駆動制御信号Ｓ１をドライブ及び非ドライブ状態にして制御装置１を再起動させてステップ７に移行するようにし、駆動制御信号Ｓ２をドライブ状態にして制御装置１の初期化処理実行部３００による初期化処理（ステップ９）を行うようにしている。これにより、遊技機Ｐの状態を確実に初期状態に戻すことができる。
【００１２】
この遊技機管理装置Ｓからの指示による初期化処理が終了したら、ステップ１０に進んで、ＲＡＭ初期化禁止処理を行う。これは、制御装置１の初期化処理禁止実行部４００がポートＰ１の信号線▲４▼の信号レベルを「Ｈ」にする処理である。これにより、その後、信号線▲５▼の信号レベルに関係なく信号線▲６▼の信号レベルが「Ｈ」に保持され、電源遮断リレー７の接点が閉状態に保持されるため、この後、駆動制御信号Ｓ１，Ｓ２の状態が変化しても制御装置１の初期化処理実行部３００はＲＡＭ１１の初期化処理を行うことがなく、よって、初期化処理が禁止されることになる。従って、遊技中に、遊技機管理装置Ｓの誤作動や誤操作や不正操作によってＲＡＭ１１の遊技状態データが消去されてしまうことを防止できる。
【００１３】
初期化指示スイッチ３を手動操作してＲＡＭ１１を初期化する場合には、制御装置１の初期化処理実行部３００はポートＰ３の信号線▲１▼の信号レベルを確認して「Ｈ」であれば初期化処理を行う。初期化指示スイッチ３を手動操作によりＯＮとすれば、信号線▲１▼の信号レベルは「Ｈ」となる。この場合、ステップ１はＹＥＳで、信号線▲１▼の信号レベルは「Ｈ」なので、初期化処理実行部３００は初期化指示スイッチ３からの指示によるＲＡＭ初期化処理、即ち、ステップ１１の処理を実行する。その後、制御装置１の初期化処理禁止実行部４００はポートＰ１の信号線▲４▼の信号レベルを「Ｈ」にするＲＡＭ初期化禁止処理（ステップ１０）を行う。これにより、その後、信号線▲５▼の信号レベルに関係なく信号線▲６▼の信号レベルが「Ｈ」に保持され、電源遮断リレー７の接点が閉状態に保持されるため、この後、駆動制御信号Ｓ１，Ｓ２の状態が変化しても初期化処理実行部３００は初期化処理を行うことがなく、よって、初期化指示スイッチ３のＯＮによる初期化処理が行われた後は遊技機管理装置Ｓからの指示があっても初期化処理が禁止されることになる。従って、遊技中に、遊技機管理装置Ｓの誤作動や誤操作や不正操作によってＲＡＭ１１の遊技状態データが消去されてしまうことを防止できる。
【００１４】
次に、規定時間中に、初期化指示スイッチ３が手動操作されず、また、遊技機管理装置Ｓからも初期化指示がない場合は、各信号線の信号レベルは上述した初期状態のまま、信号線▲１▼，▲３▼の信号レベルは「Ｌ」なので、ＲＡＭ初期化処理は行われない。そして、ステップ２０で規定時間が経過したと判断されたら、初期化処理禁止実行部４００はポートＰ１に接続された信号線▲４▼の信号レベルを「Ｌ」から「Ｈ」にするＲＡＭ初期化禁止処理（ステップ１０）を行う。これにより、その後、信号線▲５▼の信号レベルに関係なく信号線▲６▼の信号レベルが「Ｈ」に保持されるので、電源遮断リレー７の接点が閉状態に保持されるため、この後、駆動制御信号Ｓ１，Ｓ２の状態が変化してもＲＡＭ１１の初期化処理を行うことがなく、よって、初期化処理が禁止されることになる。従って、遊技中に、遊技機管理装置Ｓの誤作動や誤操作や不正操作によってＲＡＭ１１の遊技状態データが消去されてしまうことを防止できる。
【００１５】
実施形態においては、初期化禁止手段は、図１の制御装置１と信号入力部４とフォトカプラ５Ａ，５Ｂと電源遮断リレー７とＯＲ素子９とインバータ素子１０による回路構成と、この回路構成において遊技機管理装置Ｓからの信号によりＲＡＭ初期化禁止処理を行う制御装置１の機能（特に初期化処理禁止実行部４００）とで構成される。
また、遊技機管理装置Ｓからの指示に基づいて初期化を行う初期化手段は、上記回路構成と、この回路構成において遊技機管理装置Ｓからの信号によりＲＡＭ初期化処理を行う制御装置１の機能（特に初期化処理実行部３００）とで構成され、初期化指示スイッチ３からの指示に基づいて初期化を行う初期化手段は、初期化指示スイッチ３と初期化指示スイッチ３から信号によりＲＡＭ初期化処理を行う制御装置１の機能（特に初期化処理実行部３００）とで構成される。
電源制御手段は、制御装置１と信号入力部４とフォトカプラ５ＡとＯＲ素子９と電源遮断リレー７とによる回路構成と、この回路構成において主に遊技機管理装置Ｓからの信号により電源遮断リレー７に電源遮断信号及び電源再投入信号を出力するＯＲ素子９の機能とで構成される。
【００１６】
尚、上記では、遊技中においても初期化指示スイッチ３がＯＮされれば、ＲＡＭ初期化処理が行われる。即ち、ステップ１でＹＥＳであれば必ずステップ１１に移行するので、ＲＡＭ初期化処理が行われる。従って、遊技中に遊技状態データを消去する必要があるときにも対応できるようになる。
【００１７】
また、規定時間経過後は初期化指示スイッチ３がＯＮされても初期化処理を行わないよう構成してもよい。例えば、規定時間経過後は初期化指示スイッチ３のＯＮによる信号、即ち、ポートＰ３から入力される信号の入力経路を制御装置１内部において遮断する回路等を設けることにより、遊技中の初期化指示スイッチ３の操作によるＲＡＭ初期化処理を禁止することが可能である。このようにすれば、遊技中に、遊技管理装置Ｓや初期化指示スイッチ３による初期化指示でＲＡＭ１１が初期化されることは無くなり、ＲＡＭ１１の遊技状態データが消去されてしまうということを防止できる。
【００１８】
また、例えば、遊技店の開店前における遊技機Ｐへの電源投入から開店後に遊技機Ｐの遊技が開始されるまでの間に必ず遊技機管理装置Ｓから遊技機Ｐに初期化指示信号を送出してＲＡＭ１１の初期化を行うことが決められている遊技店においては、規定時間をセットしなくてもよい。即ち、この場合には、開店までには必ずＲＡＭ初期化禁止処理がなされるので、遊技中に、遊技機管理装置Ｓからの初期化指示信号によって遊技状態データが消去されてしまうような事態を防止することができるようになる。
【００１９】
また、遊技状態データを記憶する記憶装置としてＲＡＭ１１を例にして説明したが、ＲＡＭ１１以外の記憶装置を用いてもよい。
【図面の簡単な説明】
【図１】本発明の実施形態の遊技機を示すブロック図。
【図２】遊技機の制御装置が実行するメインルーチンの処理を示すフローチャート。
【符号の説明】
１  制御装置
３  初期化指示スイッチ（遊技機に搭載された初期化指示手段）
４  信号入力部
５Ａ，５Ｂ  フォトカプラ
７  電源遮断リレー
９  ＯＲ素子
１０  インバータ素子
Ｐ  遊技機
Ｓ  遊技機管理装置
【図１】
2004195094.tif 000003
【図２】
2004195094.tif 000004